(57)【要約】【課題】容易にカード紙片が分離できるカード紙片付印刷物において、カード紙片に貼付するシール片を表面に露出させることなく形成し、使用前にシール紙片が剥がれることを防止するとともに、印刷物の見栄えを損なわないようにする。【解決手段】第１の用紙と、前記第１の用紙に第２の用紙の裏面を接着剤により貼り合せて形成した貼り合せ部分と、前記貼り合せ部分において、前記第１の用紙及び前記第２の用紙を打抜いて分離可能に形成したカード紙片と、前記カード紙片を除く前記貼り合せ部分において、前記第１の用紙又は前記第２の用紙を打抜いて分離可能に形成したシール紙片とを備え、前記第１の用紙を前記貼り合せ部分に折り重ねて剥離可能な接着剤により擬似接着させ、前記貼り合せ部分に擬似接着させた前記第１の用紙が、前記カード紙片及び前記シール紙片を覆っているカード紙片付印刷物。【選択図】図１
2017007287.tif 000002
【特許請求の範囲】
【請求項１】
第１の用紙と、
前記第１の用紙に第２の用紙の裏面を接着剤により貼り合せて形成した貼り合せ部分と、
前記貼り合せ部分において、前記第１の用紙及び前記第２の用紙を打抜いて分離可能に形成したカード紙片と、
前記カード紙片を除く前記貼り合せ部分において、前記第１の用紙又は前記第２の用紙を打抜いて分離可能に形成したシール紙片とを備え、
前記第１の用紙を前記貼り合せ部分に折り重ねて剥離可能な接着剤により擬似接着させ、前記貼り合せ部分に擬似接着させた前記第１の用紙が、前記カード紙片及び前記シール紙片を覆っていることを特徴とするカード紙片付印刷物。
【請求項２】
前記シール紙片を除く前記第２の用紙の裏面と前記第１の用紙が非剥離性の第１の接着剤により貼り合わされ、前記シール紙片の裏面と前記第１の用紙又は前記第２の用紙が再接着可能な剥離性の第２の接着剤で貼り合わされていることを特徴とする請求項１記載のカード紙片付印刷物。
【請求項３】
前記第１用紙と前記貼り合せ部分は、前記シール紙片を除く部分において前記剥離可能な接着剤により擬似接着されていることを特徴とする請求項１又は請求項２記載のカード紙片付印刷物。
【請求項４】
前記第２の用紙の幅は、前記第１の用紙の幅より狭いことを特徴とする請求項１乃至請求項３のいずれかに記載したカード紙片付印刷物。
【請求項５】
第１の用紙と、
前記第１の用紙に前記第１の用紙より幅の狭い第２の用紙の裏面を接着剤により貼り合せて形成した第１の貼り合せ部分と、
前記第１の用紙に前記第１の用紙より幅の狭い第３の用紙の裏面を接着剤により貼り合せて形成した第２の貼り合せ部分と、
前記第１の貼り合せ部分において、前記第１の用紙及び前記第２の用紙を打抜いて分離可能に形成したカード紙片と、
前記第２の貼り合せ部分において、前記第１の用紙又は前記第３の用紙を打抜いて分離可能に形成したシール紙片とを備え、
前記第１の用紙を前記第１の貼り合せ部分及び前記第２の貼り合せ部分に折り重ねて剥離可能な接着剤により擬似接着させ、前記第１の貼り合せ部分及び前記第２の貼り合せ部分に擬似接着させた前記第１の用紙が、前記カード紙片及び前記シール紙片を覆っていることを特徴とするカード紙片付印刷物。
【請求項６】
前記第２の用紙の裏面と前記第１の用紙が非剥離性の第１の接着剤により貼り合わされ、前記シール紙片の裏面と前記第１の用紙又は前記第３の用紙が再接着可能な剥離性の第２の接着剤で貼り合わされていることを特徴とする請求項５記載のカード紙片付印刷物。
【請求項７】
前記第１用紙と前記第２の貼り合せ部分は、前記シール紙片を除く部分において前記剥離可能な接着剤により擬似接着されていることを特徴とする請求項５又は請求項６記載のカード紙片付印刷物。
【請求項８】
前記カード紙片と前記第１用紙が前記剥離可能な接着剤により擬似接着されていることを特徴とする請求項１乃至請求項７のいずれかに記載したカード紙片付印刷物。
【請求項９】
第１の用紙と、
前記第１の用紙に第２の用紙の裏面を接着剤により貼り合せて形成した貼り合せ部分と、
前記貼り合せ部分において、前記第１の用紙及び前記第２の用紙を打抜いて分離可能に形成したカード紙片と、
前記カード紙片を除く前記貼り合せ部分において、前記第１の用紙又は前記第２の用紙を打抜いて分離可能に形成したシール紙片と、
第４の用紙とを備え、
前記第４の用紙を前記貼り合せ部分に重ねて剥離可能な接着剤により擬似接着させ、前記第４の用紙が前記カード紙片及び前記シール紙片を覆っていることを特徴とするカード紙片付印刷物。
【請求項１０】
前記シール紙片を除く前記第２の用紙の裏面と前記第１の用紙が非剥離性の第１の接着剤により貼り合わされ、前記シール紙片の裏面と前記第１の用紙又は前記第２の用紙が再接着可能な剥離性の第２の接着剤で貼り合わされていることを特徴とする請求項９記載のカード紙片付印刷物。
【請求項１１】
前記カード紙片と前記第４用紙が前記剥離可能な接着剤により擬似接着されていることを特徴とする請求項８又は請求項９に記載したカード紙片付印刷物。
【請求項１２】
前記第４用紙と前記貼り合せ部分は、前記シール紙片を除く部分において前記剥離可能な接着剤により擬似接着されていることを特徴とする請求項９乃至請求項１１のいずれかに記載したカード紙片付印刷物。
【請求項１３】
前記第２の用紙の幅は、前記第１の用紙の幅より狭いことを特徴とする請求項９乃至請求項１２のいずれかに記載したカード紙片付印刷物。
【請求項１４】
前記シール紙片は、前記カード紙片の秘匿部分を隠蔽する隠蔽シールとなることを特徴とする請求項１乃至請求項１３のいずれかに記載したカード紙片付印刷物。
【請求項１５】
第１の用紙及び第２の用紙を繰り出す工程と、
前記第１の用紙又は前記第２の用紙に非剥離性の第１接着剤及び再接着可能な剥離性の第２の接着剤を互いに重ならないように塗布する工程と、
前記第１の用紙と前記第２の用紙を前記第１の接着剤及び前記第２の接着剤で貼り合せた貼り合せ部分を形成する工程と、
前記第２の接着剤で貼り合わされた貼り合せ部分において、前記第１の用紙又は前記第２の用紙を打抜いてシール紙片を形成する工程と、
前記第１の用紙又は前記貼り合せ部分に剥離可能な接着剤を塗布し、前記第１の用紙を前記シール紙片を覆うように前記貼り合せ部分に折り重ねて擬似接着させる工程と、
前記第１の接着剤で貼り合わされた貼り合せ部分において、前記第１の用紙と前記第２の用紙を打抜いてカード紙片を形成する工程と
を備えたことを特徴とするカード紙片付印刷物の製造方法。
【請求項１６】
前記擬似接着させる工程は、前記シール紙片を除いて前記第１の用紙を前記貼り合せ部分に擬似接着させることを特徴とする請求項１５記載のカード紙片付印刷物の製造方法。
【請求項１７】
連続する用紙をその繰り出す方向に沿って前記第１の用紙と前記第２の用紙に切断する工程をさらに備えたことを特徴とする請求項１５又は請求項１６記載のカード紙片付印刷物の製造方法。
【請求項１８】
前記第２の用紙の幅は、前記第１の用紙の幅より狭いことを特徴とする請求項１５乃至請求項１７のいずれかに記載したカード紙片付印刷物の製造方法。
【請求項１９】
第１の用紙、前記第１の用紙より幅の狭い第２の用紙、及び前記第１の用紙より幅の狭い第３の用紙を繰り出す工程と、
前記第１の用紙又は前記第２の用紙に非剥離性の第１の接着剤を塗布する工程と、
前記第１の用紙又は前記第３の用紙に非剥離性の第１の接着剤及び再接着可能な剥離性の第２の接着剤を互いに重ならないように塗布する工程と、
前記第１の用紙と前記第２の用紙を前記第１の接着剤で貼り合せた第１の貼り合せ部分を形成する工程と、
前記第１の用紙と前記第３の用紙を前記第１の接着剤及び前記第２の接着剤で貼り合せた第２の貼り合せ部分を形成する工程と、
前記第２の接着剤で貼り合わされた前記第２の貼り合せ部分において、前記第１の用紙又は前記第３の用紙を打抜いてシール紙片を形成する工程と、
前記第１の用紙又は前記第１の貼り合せ部分に剥離可能な接着剤を塗布し、前記第１の用紙を前記第１の貼り合せ部分に折り重ねて擬似接着させる工程と、
前記第１の用紙又は前記第２の貼り合せ部分に剥離可能な接着剤を塗布し、前記第１の用紙を前記シール紙片を覆うように前記第２の貼り合せ部分に折り重ねて擬似接着させる工程と、
前記第１の貼り合せ部分において、前記第１の用紙と前記第２の用紙を打抜いてカード紙片を形成する工程と
を備えたことを特徴とするカード紙片付印刷物の製造方法。
【請求項２０】
前記第１の用紙と前記第２の貼り合せ部分を擬似接着させる工程は、前記シール紙片を除いて前記第１の用紙を前記第２の貼り合せ部分に擬似接着させることを特徴とする請求項１９記載のカード紙片付印刷物の製造方法。
【請求項２１】
連続する用紙をその繰り出す方向に沿って前記第１の用紙と前記第２の用紙と前記第３の用紙に切断する工程をさらに備えたことを特徴とする請求項１９又は請求項２０記載のカード紙片付印刷物の製造方法。
【請求項２２】
第１の用紙、第２の用紙、及び第４の用紙を繰り出す工程と、
前記第１の用紙又は前記第２の用紙に非剥離性の第１接着剤及び再接着可能な剥離性の第２の接着剤を互いに重ならないように塗布する工程と、
前記第１の用紙と前記第２の用紙を前記第１の接着剤及び前記第２の接着剤で貼り合せた貼り合せ部分を形成する工程と、
前記第２の接着剤で貼り合わされた貼り合せ部分において、前記第１の用紙又は前記第２の用紙を打抜いてシール紙片を形成する工程と、
前記第４の用紙又は前記貼り合せ部分に剥離可能な接着剤を塗布し、前記第４の用紙を前記シール紙片を覆うように前記貼り合せ部分に重ねて擬似接着させる工程と、
前記第１の接着剤で貼り合わされた貼り合せ部分において、前記第１の用紙と前記第２の用紙を打抜いてカード紙片を形成する工程と
を備えたことを特徴とするカード紙片付印刷物の製造方法。
【請求項２３】
前記擬似接着させる工程は、前記シール紙片を除いて前記第４の用紙を前記貼り合せ部分に擬似接着させることを特徴とする請求項２２記載のカード紙片付印刷物の製造方法。
【請求項２４】
連続する用紙をその繰り出す方向に沿って前記第１の用紙と前記第２の用紙と前記第４の用紙に切断する工程をさらに備えたことを特徴とする請求項２２又は請求項２３記載のカード紙片付印刷物の製造方法。
【請求項２５】
前記第２の用紙の幅は、前記第１の用紙の幅より狭いことを特徴とする請求項２２乃至請求項２４のいずれかに記載したカード紙片付印刷物の製造方法。
【請求項２６】
前記シール紙片は、前記カード紙片の秘匿部分を隠蔽する隠蔽シールとなることを特徴とする請求項１５乃至請求項２５のいずれかに記載したカード紙片付印刷物の製造方法。
【発明の詳細な説明】
【技術分野】
【０００１】
本発明は、用紙の一部にカード紙片及びシール紙片が分離可能に形成されたカード紙片付印刷物及びその製造方法に関するものである。
【背景技術】
【０００２】
カタログ、チラシ、パンフレット、ダイレクトメール等の各種印刷物の中には、葉書、クーポン等のサービス券、チケット類、会員証等のカード紙片が用紙の一部に設けられたカード紙片付印刷物があり、各種用途に利用されている。このカード紙片付印刷物を入手した利用者は、用紙からカード紙片を分離し、葉書、クーポン等のサービス券、チケット類、会員証等として利用することができる。
例えば、特開２００６−２９７６８９号公報（特許文献１）には、左側面部と中央面部と右側面部からなる印刷物であって、中央面部あるいは一方の側面部に、葉書、チケット、クーポン券等の分離して使用するものが設けられ、左右側面部が中央面部に折り重ねられて一過性の粘着剤で貼着された印刷物が開示されている。
ところで、このようなカード紙片付印刷物においては、用紙から分離したカード紙片の一部を隠蔽するため、あるいは、応募券等を貼り付けるため、さらに、シール紙片を設ける場合がある。
例えば、特開２００４−１３３０６５号公報（特許文献２）には、紙片を重ねて貼り合せた二重構造の広告紙に、返信はがき部と貼付シールを設けた剥離・再接着シール付き広告用印刷物が開示されている。
【０００３】
しかしながら、特許文献１の印刷物においては、葉書等の分離して使用するものが用紙（中央面部あるいは一方の側面部）から打抜かれているため、葉書等の分離して使用するものを切り取ることなく容易に分離できるが、シール片がなく、葉書等の分離して使用するものを使用するに際して、個人情報等を隠蔽することができないという問題があった。
次に、特許文献２の広告用印刷物おいては、紙片を重ねて貼り合せた二重構造の広告紙に返信はがき部が形成されているため、返信はがき部を広告紙から切り取らなければならないという手間が生ずるという問題があった。また、この広告用印刷物には、貼付シールは設けられているが、貼付シールが印刷物の表面に露出し、広告用印刷物の製造過程や運搬・配布過程等において貼付シールが剥がれるおそれがあるのみならず、露出した貼付シール部が広告印刷物の見栄えを悪くするという問題があった。
この場合、特許文献１の印刷物に特許文献２のような貼付シールを設けることも考えられるが、特許文献１の印刷物は、特許文献２の広告用印刷物と同じ紙片を重ねて貼り合せた二重構造であるため、特許文献１の印刷物に貼付シールを設けても貼付シールが印刷物の表面に露出し、特許文献２の広告印刷物と同様の問題が生ずる。
【先行技術文献】
【特許文献】
【０００４】
【特許文献１】特開２００６−２９７６８９号公報
【特許文献２】特開２００４−１３３０６５号公報
【発明の概要】
【発明が解決しようとする課題】
【０００５】
本発明が解決しようとする課題は、容易にカード紙片が分離できるカード紙片付印刷物において、カード紙片に貼付するシール片を表面に露出させることなく形成し、使用前にシール紙片が剥がれることを防止するとともに、印刷物の見栄えを損なわないようにすることであり、また、そのようなカード紙片付印刷物を効率よく製造できるようにすることである。
【課題を解決するための手段】
【０００６】
本発明は、第１の用紙と、前記第１の用紙に第２の用紙の裏面を接着剤により貼り合せて形成した貼り合せ部分と、前記貼り合せ部分において、前記第１の用紙及び前記第２の用紙を打抜いて分離可能に形成したカード紙片と、前記カード紙片を除く前記貼り合せ部分において、前記第１の用紙又は前記第２の用紙を打抜いて分離可能に形成したシール紙片とを備え、前記第１の用紙を前記貼り合せ部分に折り重ねて剥離可能な接着剤により擬似接着させ、前記貼り合せ部分に擬似接着させた前記第１の用紙が、前記カード紙片及び前記シール紙片を覆っているカード紙片付印刷物を提供して、上記課題を解決するものである。
【０００７】
本発明は、前記シール紙片を除く前記第２の用紙の裏面と前記第１の用紙が非剥離性の第１の接着剤により貼り合わされ、前記シール紙片の裏面と前記第１の用紙又は前記第２の用紙が再接着可能な剥離性の第２の接着剤で貼り合わされているカード紙片付印刷物を提供して、上記課題を解決するものである。
【０００８】
本発明は、前記第１用紙と前記貼り合せ部分は前記シール紙片を除く部分において前記剥離可能な接着剤により擬似接着されているカード紙片付印刷物を提供して、上記課題を解決するものである。
【０００９】
本発明は、前記第２の用紙の幅は前記第１の用紙の幅より狭いカード紙片付印刷物を提供して、上記課題を解決するものである。
【００１０】
本発明は、第１の用紙と、前記第１の用紙に前記第１の用紙より幅の狭い第２の用紙の裏面を接着剤により貼り合せて形成した第１の貼り合せ部分と、前記第１の用紙に前記第１の用紙より幅の狭い第３の用紙の裏面を接着剤により貼り合せて形成した第２の貼り合せ部分と、前記第１の貼り合せ部分において、前記第１の用紙及び前記第２の用紙を打抜いて分離可能に形成したカード紙片と、前記第２の貼り合せ部分において、前記第１の用紙又は前記第３の用紙を打抜いて分離可能に形成したシール紙片とを備え、前記第１の用紙を前記第１の貼り合せ部分及び前記第２の貼り合せ部分に折り重ねて剥離可能な接着剤により擬似接着させ、前記第１の貼り合せ部分及び前記第２の貼り合せ部分に擬似接着させた前記第１の用紙が、前記カード紙片及び前記シール紙片を覆っているカード紙片付印刷物を提供して、上記課題を解決するものである。
【００１１】
本発明は、前記第２の用紙の裏面と前記第１の用紙が非剥離性の第１の接着剤により貼り合わされ、前記シール紙片の裏面と前記第１の用紙又は前記第３の用紙が再接着可能な剥離性の第２の接着剤で貼り合わされているカード紙片付印刷物を提供して、上記課題を解決するものである。
【００１２】
本発明は、前記第１用紙と前記第２の貼り合せ部分は前記シール紙片を除く部分において前記剥離可能な接着剤により擬似接着されているカード紙片付印刷物を提供して、上記課題を解決するものである。
【００１３】
本発明は、前記カード紙片と前記第１用紙が前記剥離可能な接着剤により擬似接着されているカード紙片付印刷物を提供して、上記課題を解決するものである。
【００１４】
本発明は、第１の用紙と、前記第１の用紙に第２の用紙の裏面を接着剤により貼り合せて形成した貼り合せ部分と、前記貼り合せ部分において、前記第１の用紙及び前記第２の用紙を打抜いて分離可能に形成したカード紙片と、前記カード紙片を除く前記貼り合せ部分において、前記第１の用紙又は前記第２の用紙を打抜いて分離可能に形成したシール紙片と、第４の用紙とを備え、前記第４の用紙を貼り合せ部分に重ねて剥離可能な接着剤により擬似接着させ、前記第４の用紙が前記カード紙片及び前記シール紙片を覆っているカード紙片付印刷物を提供して、上記課題を解決するものである。
【００１５】
本発明は、前記シール紙片を除く前記第２の用紙の裏面と前記第１の用紙が非剥離性の第１の接着剤により貼り合わされ、前記シール紙片の裏面と前記第１の用紙又は前記第２の用紙が再接着可能な剥離性の第２の接着剤で貼り合わされているカード紙片付印刷物を提供して、上記課題を解決するものである。
【００１６】
本発明は、前記カード紙片と前記第４用紙が前記剥離可能な接着剤により擬似接着されているカード紙片付印刷物を提供して、上記課題を解決するものである。
【００１７】
本発明は、前記第４用紙と前記貼り合せ部分は前記シール紙片を除く部分において前記剥離可能な接着剤により擬似接着されているカード紙片付印刷物を提供して、上記課題を解決するものである。
【００１８】
本発明は、前記第２の用紙の幅は前記第１の用紙の幅より狭いカード紙片付印刷物を提供して、上記課題を解決するものである。
【００１９】
本発明は、前記シール紙片は、前記カード紙片の秘匿部分を隠蔽する隠蔽シールとなるカード紙片付印刷物を提供して、上記課題を解決するものである。
【００２０】
本発明は、第１の用紙及び第２の用紙を繰り出す工程と、前記第１の用紙又は前記第２の用紙に非剥離性の第１接着剤及び再接着可能な剥離性の第２の接着剤を互いに重ならないように塗布する工程と、前記第１の用紙と前記第２の用紙を前記第１の接着剤及び前記第２の接着剤で貼り合せた貼り合せ部分を形成する工程と、前記第２の接着剤で貼り合わされた貼り合せ部分において、前記第１の用紙又は前記第２の用紙を打抜いてシール紙片を形成する工程と、前記第１の用紙又は前記貼り合せ部分に剥離可能な接着剤を塗布し、前記第１の用紙を前記シール紙片を覆うように前記貼り合せ部分に折り重ねて擬似接着させる工程と、前記第１の接着剤で貼り合わされた貼り合せ部分において、前記第１の用紙と前記第２の用紙を打抜いてカード紙片を形成する工程とを備えたカード紙片付印刷物の製造方法を提供して、上記課題を解決するものである。
【００２１】
本発明は、前記擬似接着させる工程は前記シール紙片を除いて前記第１の用紙を前記貼り合せ部分に擬似接着させるカード紙片付印刷物の製造方法を提供して、上記課題を解決するものである。
【００２２】
本発明は、連続する用紙をその繰り出す方向に沿って前記第１の用紙と前記第２の用紙に切断する工程をさらに備えたカード紙片付印刷物の製造方法を提供して、上記課題を解決するものである。
【００２３】
本発明は、前記第２の用紙の幅は前記第１の用紙の幅より狭いカード紙片付印刷物の製造方法を提供して、上記課題を解決するものである。
【００２４】
本発明は、第１の用紙、前記第１の用紙より幅の狭い第２の用紙、及び前記第１の用紙より幅の狭い第３の用紙を繰り出す工程と、前記第１の用紙又は前記第２の用紙に非剥離性の第１の接着剤を塗布する工程と、前記第１の用紙又は前記第３の用紙に非剥離性の第１の接着剤及び再接着可能な剥離性の第２の接着剤を互いに重ならないように塗布する工程と、前記第１の用紙と前記第２の用紙を前記第１の接着剤で貼り合せた第１の貼り合せ部分を形成する工程と、前記第１の用紙と前記第３の用紙を前記第１の接着剤及び前記第２の接着剤で貼り合せた第２の貼り合せ部分を形成する工程と、前記第２の接着剤で貼り合わされた前記第２の貼り合せ部分において、前記第１の用紙又は前記第３の用紙を打抜いてシール紙片を形成する工程と、前記第１の用紙又は前記第１の貼り合せ部分に剥離可能な接着剤を塗布し、前記第１の用紙を前記第１の貼り合せ部分に折り重ねて擬似接着させる工程と、前記第１の用紙又は前記第２の貼り合せ部分に剥離可能な接着剤を塗布し、前記第１の用紙を前記シール紙片を覆うように前記第２の貼り合せ部分に折り重ねて擬似接着させる工程と、前記第１の貼り合せ部分において、前記第１の用紙と前記第２の用紙を打抜いてカード紙片を形成する工程とを備えたカード紙片付印刷物の製造方法を提供して、上記課題を解決するものである。
【００２５】
本発明は、前記第１の用紙と前記第２の貼り合せ部分を擬似接着させる工程は前記シール紙片を除いて前記第１の用紙を前記第２の貼り合せ部分に擬似接着させるカード紙片付印刷物の製造方法を提供して、上記課題を解決するものである。
【００２６】
本発明は、連続する用紙をその繰り出す方向に沿って前記第１の用紙と前記第２の用紙と前記第３の用紙に切断する工程をさらに備えたカード紙片付印刷物の製造方法を提供して、上記課題を解決するものである。
【００２７】
本発明は、第１の用紙、第２の用紙、及び第４の用紙を繰り出す工程と、前記第１の用紙又は前記第２の用紙に非剥離性の第１接着剤及び再接着可能な剥離性の第２の接着剤を互いに重ならないように塗布する工程と、前記第１の用紙と前記第２の用紙を前記第１の接着剤及び前記第２の接着剤で貼り合せた貼り合せ部分を形成する工程と、前記第２の接着剤で貼り合わされた貼り合せ部分において、前記第１の用紙又は前記第２の用紙を打抜いてシール紙片を形成する工程と、前記第４の用紙又は前記貼り合せ部分に剥離可能な接着剤を塗布し、前記第４の用紙を前記シール紙片を覆うように前記貼り合せ部分に重ねて擬似接着させる工程と、前記第１の接着剤で貼り合わされた貼り合せ部分において、前記第１の用紙と前記第２の用紙を打抜いてカード紙片を形成する工程とを備えカード紙片付印刷物の製造方法を提供して、上記課題を解決するものである。
【００２８】
本発明は、前記擬似接着させる工程は前記シール紙片を除いて前記第４の用紙を前記貼り合せ部分に擬似接着させるカード紙片付印刷物の製造方法を提供して、上記課題を解決するものである。
【００２９】
本発明は、連続する用紙をその繰り出す方向に沿って前記第１の用紙と前記第２の用紙と前記第４の用紙に切断する工程をさらに備えたカード紙片付印刷物の製造方法を提供して、上記課題を解決するものである。
【００３０】
本発明は、前記第２の用紙の幅は前記第１の用紙の幅より狭いカード紙片付印刷物を提供して、上記課題を解決するものである。
【００３１】
本発明は、前記シール紙片は前記カード紙片の秘匿部分を隠蔽する隠蔽シールとなるカード紙片付印刷物の製造方法を提供して、上記課題を解決するものである。
【発明の効果】
【００３２】
本発明のカード紙片付印刷物においては、第１の用紙に第２の用紙の裏面が接着剤により貼り合わされた貼り合せ部分を打抜いてカード紙片が形成され、前記第１の用紙又は前記第２の用紙を打抜いてシール紙片が形成され、前記第１の用紙が前記貼り合せ部分に折り重ねられて擬似接着され、前記第１の用紙が前記カード紙片及び前記シール紙片を覆っているため、前記カード紙片が容易に分離できると共に、前記シール紙片が前記カード紙片付印刷物の表面に露出せず、使用前に前記シール紙片が剥がれることが防止され、前記カード紙片付印刷物の見栄えも損なわれないという効果を奏する。
【００３３】
本発明のカード紙片付印刷物においては、前記シール紙片を除く前記第２の用紙の裏面と前記第１の用紙が非剥離性の第１の接着剤により貼り合わされ、前記シール紙片の裏面と前記第１の用紙又は前記第２の用紙が再接着可能な剥離性の第２の接着剤で貼り合わされているため、さらに、前記カード紙片及び前記シール紙片が容易に形成されるという効果を奏する。
【００３４】
本発明のカード紙片付印刷物においては、前記第１用紙と前記貼り合せ部分は前記シール紙片を除く部分において前記剥離可能な接着剤により擬似接着されているため、さらに、前記カード紙片付印刷物を開封しても前記シール紙片が剥がされないという効果を奏する。
【００３５】
本発明のカード紙片付印刷物においては、前記第２の用紙の幅は前記第１の用紙の幅より狭いため、カード紙片付印刷物を薄くでき、カード紙片付印刷物がかさばらないという効果を奏する。
【００３６】
本発明のカード紙片付印刷物においては、第１の用紙に第２の用紙の裏面が接着剤により貼り合わされた第１の貼り合せ部分を打抜いてカード紙片が形成され、前記第１の用紙に第３の用紙の裏面が接着剤により貼り合わされた第２の貼り合せ部分の前記第１の用紙又は前記第３の用紙を打抜いてシール紙片が形成され、前記第１の用紙が前記第１の貼り合せ部分及び第２の貼り合せ部分に折り重ねられて擬似接着され、前記第１の用紙が前記カード紙片及び前記シール紙片を覆っているため、前記カード紙片が容易に分離できると共に、前記シール紙片が前記カード紙片付印刷物の表面に露出せず、使用前にシール紙片が剥がれることが防止され、前記カード紙片付印刷物の見栄えも損なわれないという効果を奏する。
【００３７】
本発明のカード紙片付印刷物においては、前記第２の用紙の裏面と前記第１の用紙が非剥離性の第１の接着剤により貼り合わされ、前記シール紙片の裏面と前記第１の用紙又は前記第３の用紙が再接着可能な剥離性の第２の接着剤で貼り合わされているため、さらに、前記カード紙片及び前記シール紙片が容易に形成されるという効果を奏する。
【００３８】
本発明のカード紙片付印刷物においては、前記第１用紙と前記第２の貼り合せ部分は前記シール紙片を除く部分において前記剥離可能な接着剤により擬似接着されているため、さらに、前記カード紙片付印刷物を開封しても前記シール紙片が剥がされないという効果を奏する。
【００３９】
本発明のカード紙片付印刷物においては、前記カード紙片と前記第１用紙が前記剥離可能な接着剤により擬似接着されているため、さらに、前記カード紙片を前記カード紙片付印刷物から容易に分離できるという効果を奏する。
【００４０】
本発明のカード紙片付印刷物においては、第１の用紙に第２の用紙の裏面が接着剤により貼り合わされた貼り合せ部分を打抜いてカード紙片が形成され、前記第１の用紙又は前記第２の用紙を打抜いてシール紙片が形成され、第４の用紙が前記第１の用紙と前記貼り合せ部分に重ねられて擬似接着され、前記第４の用紙が前記カード紙片及び前記シール紙片を覆っているため、前記カード紙片が容易に分離できると共に、前記シール紙片が前記カード紙片付印刷物の表面に露出せず、使用前に前記シール紙片が剥がれることが防止され、前記カード紙片付印刷物の見栄えも損なわれないという効果を奏する。
【００４１】
本発明のカード紙片付印刷物においては、前記シール紙片を除く前記第２の用紙の裏面と前記第１の用紙が非剥離性の第１の接着剤により貼り合わされ、前記シール紙片の裏面と前記第１の用紙又は前記第２の用紙が再接着可能な剥離性の第２の接着剤で貼り合わされているため、さらに、前記カード紙片及び前記シール紙片が容易に形成されるという効果を奏する。
【００４２】
本発明のカード紙片付印刷物においては、前記カード紙片と前記第４用紙が前記剥離可能な接着剤により擬似接着されているため、さらに、前記カード紙片を前記カード紙片付印刷物から容易に分離できるという効果を奏する。
【００４３】
本発明のカード紙片付印刷物においては、前記第４用紙と前記貼り合せ部分は前記シール紙片を除く部分において前記剥離可能な接着剤により擬似接着されているため、さらに、前記カード紙片付印刷物を開封しても前記シール紙片が剥がされないという効果を奏する。
【００４４】
本発明のカード紙片付印刷物においては、前記第２の用紙の幅は、前記第１の用紙の幅より狭いため、カード紙片付印刷物を薄くでき、カード紙片付印刷物がかさばらないという効果を奏する。
【００４５】
本発明のカード紙片付印刷物においては、前記シール紙片は、前記カード紙片の秘匿部分を隠蔽する隠蔽シールとなるため、さらに、前記カード紙片の使用に際して、前記シール紙片で前記カード紙片が隠蔽できるという効果を奏する。
【００４６】
本発明のカード紙片付印刷物の製造方法においては、第１の用紙及び第２の用紙を繰り出し、前記第１の用紙又は前記第２の用紙に非剥離性の第１接着剤及び再接着可能な剥離性の第２の接着剤を互いに重ならないように塗布し、前記第１の用紙と前記第２の用紙を貼り合せた貼り合せ部分を形成し、前記第２の接着剤で貼り合わされた貼り合せ部分において、前記第１の用紙又は前記第２の用紙を打抜いてシール紙片を形成し、前記第１の用紙又は前記貼り合せ部分に剥離可能な接着剤を塗布し、前記第１の用紙を前記シール紙片を覆うように前記貼り合せ部分に折り重ねて擬似接着させ、前記第１の接着剤で貼り合わされた貼り合せ部分において、前記第１の用紙と前記第２の用紙を打抜いてカード紙片を形成するため、前記カード紙片が容易に分離できると共に、前記シール紙片が前記カード紙片付印刷物の表面に露出せず、使用前に前記シール紙片が剥がれることが防止され、見栄えも損なわれないカード紙片付印刷物を効率よく製造できるという効果を奏する。
【００４７】
本発明のカード紙片付印刷物の製造方法においては、前記シール紙片を除いて前記第１の用紙を前記貼り合せ部分に擬似接着させるため、さらに、開封しても前記シール紙片が剥がされないカード紙片付印刷物を効率よく製造できるという効果を奏する。
【００４８】
本発明のカード紙片付印刷物の製造方法においては、連続する用紙をその繰り出す方向に沿って前記第１の用紙と前記第２の用紙に切断するため、さらに、連続する用紙から前記第１の用紙と前記第２の用紙が効率よく得られるという効果を奏する。
【００４９】
本発明のカード紙片付印刷物の製造方法においては、前記第２の用紙の幅は前記第１の用紙の幅より狭いため、さらに、薄くてかさばらないカード紙片付印刷物を効率よく製造できるという効果を奏する。
【００５０】
本発明のカード紙片付印刷物の製造方法においては、第１の用紙、前記第１の用紙より幅の狭い第２の用紙、及び前記第１の用紙より幅の狭い第３の用紙を繰り出し、前記第１の用紙又は前記第２の用紙に非剥離性の第１の接着剤を塗布し、前記第１の用紙又は前記第３の用紙に非剥離性の第１の接着剤及び再接着可能な剥離性の第２の接着剤を互いに重ならないように塗布し、前記第１の用紙と前記第２の用紙を前記第１の接着剤で貼り合せた第１の貼り合せ部分を形成し、前記第１の用紙と前記第３の用紙を前記第１の接着剤及び前記第２の接着剤で貼り合せた第２の貼り合せ部分を形成し、前記第２の接着剤で貼り合わされた前記第２の貼り合せ部分において、前記第１の用紙又は前記第３の用紙を打抜いてシール紙片を形成し、前記第１の用紙又は前記第１の貼り合せ部分に剥離可能な接着剤を塗布し、前記第１の用紙を前記第１の貼り合せ部分に折り重ねて擬似接着させ、前記第１の用紙又は前記第２の貼り合せ部分に剥離可能な接着剤を塗布し、前記第１の用紙を前記シール紙片を覆うように前記第２の貼り合せ部分に折り重ねて擬似接着させ、前記第１の貼り合せ部分において、前記第１の用紙と前記第２の用紙を打抜いてカード紙片を形成するため、前記カード紙片が容易に分離できると共に、前記シール紙片が前記カード紙片付印刷物の表面に露出せず、使用前に前記シール紙片が剥がれることが防止され、見栄えも損なわれないカード紙片付印刷物を効率よく製造できるという効果を奏する。
【００５１】
本発明のカード紙片付印刷物の製造方法においては、前記シール紙片を除いて前記第１の用紙を前記第２の貼り合せ部分に擬似接着させるため、さらに、開封しても前記シール紙片が剥がされないカード紙片付印刷物を効率よく製造できるという効果を奏する。
【００５２】
本発明のカード紙片付印刷物の製造方法においては、連続する用紙をその繰り出す方向に沿って前記第１の用紙と前記第２の用紙と前記第３の用紙に切断するため、さらに、連続する用紙から前記第１の用紙、前記第２の用紙及び前記第３の用紙が効率よく得られるという効果を奏する。
【００５３】
本発明のカード紙片付印刷物の製造方法においては、第１の用紙、第２の用紙、及び第４の用紙を繰り出し、前記第１の用紙又は前記第２の用紙に非剥離性の第１接着剤及び再接着可能な剥離性の第２の接着剤を互いに重ならないように塗布し、前記第１の用紙と前記第２の用紙を前記第１の接着剤及び前記第２の接着剤で貼り合せた貼り合せ部分を形成し、前記第２の接着剤で貼り合わされた貼り合せ部分において、前記第１の用紙又は前記第２の用紙を打抜いてシール紙片を形成し、前記第４の用紙又は前記貼り合せ部分に剥離可能な接着剤を塗布し、前記第４の用紙を前記シール紙片を覆うように前記貼り合せ部分に重ねて擬似接着させ、前記第１の接着剤で貼り合わされた貼り合せ部分において、前記第１の用紙と前記第２の用紙を打抜いてカード紙片を形成するため、前記カード紙片が容易に分離できると共に、前記シール紙片が前記カード紙片付印刷物の表面に露出せず、使用前に前記シール紙片が剥がれることが防止され、見栄えも損なわれないカード紙片付印刷物を効率よく製造できるという効果を奏する。
【００５４】
本発明のカード紙片付印刷物の製造方法においては、前記シール紙片を除いて前記第４の用紙を前記貼り合せ部分に擬似接着させるため、さらに、開封しても前記シール紙片が剥がされないカード紙片付印刷物を効率よく製造できるという効果を奏する。
【００５５】
本発明のカード紙片付印刷物の製造方法においては、連続する用紙をその繰り出す方向に沿って前記第１の用紙と前記第２の用紙と前記第４の用紙に切断するため、さらに、連続する用紙から前記第１の用紙、前記第２の用紙及び前記第４の用紙が効率よく得られるという効果を奏する。
【００５６】
本発明のカード紙片付印刷物の製造方法においては、前記第２の用紙の幅は前記第１の用紙の幅より狭いため、さらに、薄くてかさばらないカード紙片付印刷物を効率よく製造できるという効果を奏する。
【００５７】
本発明のカード紙片付印刷物の製造方法においては、前記シール紙片は前記カード紙片の秘匿部分を隠蔽する隠蔽シールとなるため、さらに、前記シール紙片で前記カード紙片が隠蔽できるカード紙片付印刷物を効率よく製造できるという効果を奏する。
【図面の簡単な説明】
【００５８】
【図１】本発明の第１実施形態である実施例１のカード紙片付印刷物の平面図である。
【図２】実施例１のカード紙片付印刷物を正面から見た状態を模式的に表した説明図である。
【図３】実施例１のカード紙片付印刷物の底面図である。
【図４】図１のＸ１−Ｘ１断面図である。
【図５】実施例１のカード紙片付印刷物を開いた状態の平面図である。
【図６】図５の開いた状態のカード紙片付印刷物を正面から見た状態を模式的に表した説明図である。
【図７】実施例１のカード紙片付印刷物からカード紙片とシール紙片を分離して、カード紙片にシール紙片を貼り付ける状態を表す説明図である。
【図８】カード紙片付印刷物１を製造するに際し、連続する１枚の用紙に施す加工の種類と位置を表した説明図である。
【図９】本発明の第２実施形態である実施例２のカード紙片付印刷物の平面図である。
【図１０】実施例２のカード紙片付印刷物を正面から見た状態を模式的に表した説明図である。
【図１１】実施例２のカード紙片付印刷物の底面図である。
【図１２】図９のＸ２−Ｘ２断面である。
【図１３】図９のＸ３−Ｘ３断面図である。
【図１４】カード紙片付印刷物２１を開いた状態の平面図である。
【図１５】図１４の開いた状態のカード紙片付印刷物２１を正面から見た状態を模式的に表した説明図である。
【図１６】カード紙片付印刷物２１からカード紙片２５とシール紙片２８を分離して、カード紙片２５にシール紙片２８を貼り付ける状態を表す説明図である。
【図１７】カード紙片付印刷物２１を製造するに際し、連続する１枚の用紙に施す加工の種類と位置を表した説明図である。
【図１８】本発明の第３実施形態である実施例３のカード紙片付印刷物の平面図である。
【図１９】実施例３のカード紙片付印刷物を正面から見た状態を模式的に表した説明図である。
【図２０】実施例３のカード紙片付印刷物の底面図である。
【図２１】図１８のＸ４−Ｘ４断面図である。
【図２２】カード紙片付印刷物４１を開いた状態の平面図である。
【図２３】図２２の開いた状態のカード紙片付印刷物４１を正面から見た状態を模式的に表した説明図である。
【図２４】カード紙片付印刷物４１からカード紙片４５とシール紙片４８を分離して、カード紙片４５にシール紙片４８を貼り付ける状態を表す説明図である。
【図２５】本発明の第４実施形態である実施例４のカード紙片付印刷物の平面図である。
【図２６】実施例４のカード紙片付印刷物を正面から見た状態を模式的に表した説明図である。
【図２７】実施例４のカード紙片付印刷物の底面図である。
【図２８】図２５のＸ５−Ｘ５断面図である。
【図２９】カード紙片付印刷物６１を開いた状態の平面図である。
【図３０】カード紙片付印刷物６１からカード紙片６５とシール紙片６８を分離して、カード紙片６５にシール紙片６８を貼り付ける状態を表す説明図である。
【図３１】カード紙片付印刷物６１を製造するに際し、第１工程において連続する１枚の用紙に施す加工の種類と位置を表した説明図である。
【図３２】カード紙片付印刷物６１を製造するに際し、第２工程において連続する１枚の用紙に施す加工の種類と位置を表した説明図である。
【発明を実施するための形態】
【００５９】
以下、実施例１、実施例２、実施例３及び実施例４に基づいて本発明を実施するための形態を説明する。
【実施例１】
【００６０】
［カード紙片付印刷物の構成］
図１は、本発明の第１実施形態である実施例１のカード紙片付印刷物の平面図、図２は、実施例１のカード紙片付印刷物を正面から見た状態を模式的に表した説明図、図３は、実施例１のカード紙片付印刷物の底面図、図４は、図１のＸ１−Ｘ１断面図である。
図中、１はカード紙片付印刷物、２は第１の用紙、２ａは左側面部、２ｂは中央面部、２ｃは右側面部、３は第２の用紙、３ａは第２の用紙の表面、３ｂは第２の用紙の裏面、４は第１の用紙２に第２の用紙を貼り合せた貼り合せ部分、５はカード紙片、５ａは打ち抜き枠、５ｂは切り込み、８はシール紙片、８ａは打ち抜き枠、８ｂは切り込み、９（９ａ、９ｂ、９ｃ）は擬似接着剤層、１０は第１の接着剤層、１１は第２の接着剤層である。
【００６１】
図１〜図４に示すように、カード紙片付印刷物１は、左側面部２ａ、中央面部２ｂ、右側面部２ｃからなる第１の用紙２と、第１の用紙２の中央面部２ｂの左半分に、第２の用紙３の裏面３ｂが第１の接着剤層１０と第２の接着剤層１１を介して貼り付けられ、これにより形成された貼り合せ部分４とから構成される。この貼り合せ部分４においては、第１の用紙２と第２の用紙３の両方が打抜かれて形成された打ち抜き枠５ａと切り込み５ｂによりカード紙片５が形成され、第２の用紙のみが打抜かれて形成された打ち抜き枠８ａと切り込み８ｂによりシール紙片８が形成されている。
そして、左側面部２ａと右側面部２ｃが中央面部２ｂ側に折り重ねられ、左側面部２ａが擬似接着層９（９ａ、９ｃ）を介して第２の用紙の表面３ａに擬似接着され、右側面部２ｃが擬似接着層９（９ｂ）を介して中央面部２ｂに擬似接着されている。これにより、左側面部２ａが、カード紙片５とシール紙片８を覆い、シール紙片８が剥がされるのを防止でき、シール紙片８がカード紙片付印刷物１の表面に露出して印刷物としての見栄えが損なわれるのが防止できる。
なお、実施例１では、第２の用紙３の横幅は、中央面部２ｂの幅の略半分となっているが、第２の用紙３の横幅は、これに限定されるものではなく、第１の用紙２の幅より狭ければよい。
【００６２】
［擬似接着層９］
擬似接着層９は、容易に剥離可能で通常の状態では再接着しない接着剤からなる接着層である。そして、左側面部２ａと第２の用紙３の表面３ａを擬似接着する擬似接着層９は、左側面部２ａの上縁、左縁、下縁の近傍に設けられた擬似接着層９ａと、カード紙片５の上縁、下縁近傍と中央部に重なる左側面部２ａの部分に設けられた擬似接着層９ｃとからなり、左側面部２ａのシール紙片８に重なる部分には擬似接着層９は設けられていない（図４参照）。
また、右側面部２ｃと中央面部２ｂを擬似接着する擬似接着層９（９ｂ）は、右側面部２ｃの上縁、右縁、下縁の近傍に設けられている。
【００６３】
［第１の接着層１０、第２の接着層１１］
第１の接着層１０は、非剥離性の接着剤からなる接着層であり、第２の接着層１１は、剥離性があり再接着可能な接着剤（粘着剤）からなる接着層である。
そして、第２用紙３の裏面３ａは、シール紙片８の部分を除いてそのほぼ全面が、第１の接着層１０を介して第１の用紙２と貼り合わされている。また、第２の用紙のシール紙片８となる部分の裏面は、第２の接着層１１を介して第１の用紙２と貼り合わされている（図４参照）。
なお、第１の用紙２において、第２の接着層１１が形成されている部分には、剥離性のインキ又は樹脂を塗布してその上に第２の接着層１１が形成されるようにし、シール紙片８を第１の用紙２から剥がしたときに、第２の接着層１１の全部がシール紙片８の裏面に付着するようにしておくのが望ましい。
【００６４】
［シール紙片と第１・第２の用紙の重なり関係］
実施例１のカード紙片付印刷物１においては、第２の用紙３を打抜いてシール紙片８を形成し、第１の用紙２の左側面部２ａを第２の用紙の表面３ａの側に折り重ねて擬似接着させてシール紙片８を覆っているが、第１の用紙２を打抜いてシール紙片８を形成し、第１の用紙２の左側面部２ａを中央面部２ｂの側に折り重ねて擬似接着させてシール紙片８を覆ってもよい。
この場合、擬似接着層９（９ａ、９ｃ）は、第１の用紙２の左側面部２ａと、中央面部２ｂの第２の用紙３が貼り合わされていない面とを擬似接着することとなる。
また、第１の用紙２の右側面部２ｃも左側面部２ａと同じ側に折り重ねて中央面部２ｂと擬似接着させてもよい。
【００６５】
［カード紙片付印刷物１の使用方法］
図５は、カード紙片付印刷物１を開いた状態の平面図、図６は、図５の開いた状態のカード紙片付印刷物１を正面から見た状態を模式的に表した説明図、図７は、カード紙片付印刷物１からカード紙片５とシール紙片８を分離して、カード紙片５にシール紙片８を貼り付ける状態を表す説明図であり、図中、５ｃは開口部、ｆ１、ｆ２は折り線である。
以下図に基づいてカード紙片付印刷物１の使用方法について説明する。
カード紙片付印刷物１においては、擬似接着層９（９ａ、９ｂ）が容易に剥離するため、左側面部２ａを第２の用紙３から剥がして折り線ｆ１に沿って折り返し、右側面部２ｃを中央面部２ｂから剥がして折り線ｆ２に沿って折り返すことにより、容易にカード紙片付印刷物１を開くことができる。
このようにしてカード紙片付印刷物１の左側面部２ａと右側面部２ｃを開くと、カード紙片５の周囲が打抜かれて切り込み５ｂが形成されているから、カード紙片５は、左側面部２ａに付着（擬似接着層９ｃにより擬似接着）した状態で、貼り合せ部分４から分離され、貼り合せ部分４には、第１の切り込み枠５ａによる開口部５ｃが形成される（図５〜図７参照）。
一方、シール紙片８の裏面は第２の接着層を介して第１の用紙２（中央面部２ｂ）に貼り付けられ、シール紙片８の表面は左側面部２ａに擬似接着されていないため、左側面部２ａを開いてもシール紙片８が左側面部２ａに付着して第１の用紙２（中央面部２ｂ）から剥がされることはなく、シール紙片８は貼り合せ部４に残存した状態となる（図５参照）。
そして、左側面部２ａに擬似接着層９ｃを介して擬似接着されているカード紙片５は、左側面部２ａから容易に剥がすことができ、葉書、クーポン等のサービス券、チケット類、会員証等として使用することができる（図７参照）。
また、第２の接着層１１を介して第１の用紙２に貼り付けられているシール紙片８は、その周囲が第２の用紙３の厚み分だけ打抜かれて切り込み８ｂが形成されているため、第２の接着層１１が付着した状態で第１の用紙から剥がすことができ、接着層１１は再接着性があることから、剥がしたシール紙片８は、カード紙片５の所定の位置に貼り付けることができる（図７参照）。
例えば、カード紙片５が葉書等の場合、個人情報（差出人の住所、氏名等）を記載した部分にシール紙片８を貼り付けることにより、シール紙片８は、葉書等に記載した個人情報を隠蔽する隠蔽シールとなる。
【００６６】
［カード紙片付印刷物１の製造方法］
カード紙片付印刷物１は、連続する１枚の用紙に、印刷、切断、打抜き、折り、接着剤塗布、貼り合せ等の加工を施すことにより、製造することができる。
図８は、カード紙片付印刷物１を製造するに際し、連続する１枚の用紙に施す加工の種類と位置を表した説明図である。図において、Ａは、連続する１枚の用紙であり、２点鎖線で示すＡｘ１は、用紙の縦方向（進行方向）の切断位置を示す切断予定線、２点鎖線で示すＡｙ１、Ａｙ２は、用紙の横方向（進行方向と直角方向）の切断位置を示す切断予定線、１点鎖線で示すＡｕ１、Ａｕ２は、打ち抜く位置を示す打ち抜き予定線、破線で示すＡｔ１、Ａｔ２は、縦方向の折り位置を示す縦折り予定線、網点で示すＡｒ１〜Ａｒ５は、接着剤を塗布する領域を示す接着剤塗布予定領域である。なお、本実施例における接着剤塗布予定領域Ａｒ５は、横長の長方形を上下に２個、縦長の長方形を左右に３個並べたパターン状となっているが、接着剤塗布予定領域Ａｒ５は、これに限定されるものではなく、任意の形状・パターンとすることができる。
【００６７】
ここで、切断予定線Ａｙ１とＡｙ２の間隔ｐ１が、カード紙片付印刷物１の縦方向の長さとなり、Ａｙ１とＡｙ２で仕切られる領域から１枚のカード紙片付印刷物１が製造される。
そして、Ａｙ１とＡｙ２で仕切られる領域のうち、切断予定線Ａｘ１と縦折り予定線Ａｔ１で仕切られる領域Ａ１が第１の用紙２の左側面部２ａとなり、縦折り予定線Ａｔ１と縦折り予定線Ａｔ２で仕切られる領域Ａ２が第１の用紙２の中央面部２ｂとなり、縦折り予定線Ａｔ２と用紙Ａの右端で仕切られる領域Ａ３が第１の用紙２の右側面部２ｃとなり、用紙Ａの左端と切断予定線Ａｘ１で仕切られる領域Ａ４が第２の用紙３となり、縦折り予定線Ａｔ１、Ａｔ２は、折り線ｆ１、ｆ２となる。
【００６８】
以下、カード紙片付印刷物１の製造方法を具体的に説明する。
まず、輪転印刷機（図示せず）の給紙部から巻取状の用紙Ａを繰り出し、その表裏面に所定の印刷を施す。このとき、接着剤塗布予定領域Ａｒ２が重なる用紙Ａの部分には、剥離性のインキ又は樹脂を塗布しておく。
次いで、印刷された用紙Ａは、加工機（図示せず）により、切断予定線Ａｘ１で切断され、第１の用紙２（領域Ａ１〜Ａ３）と第２の用紙３（領域Ａ４）に分割される。
そして、第２の用紙３（領域Ａ４）の裏面３ｂとなる面に対して、接着剤塗布予定領域Ａｒ１に非剥離性の接着剤が塗布されて第１の接着層１０が形成され、接着剤塗布予定領域Ａｒ２に剥離性があり再接着可能な接着剤（粘着剤）が塗布されて第２の接着層１１が形成される。
その後、第２の用紙３の裏面３ｂが第１の用紙２の中央面部２ｂ（領域Ａ２）の左側半分に重ねられて接着されて貼り合せ部分４が形成され、第２の用紙３だけが打ち抜き予定線Ａｕ２に沿って打ち抜かれ、打ち抜き枠８ａと切り込み８ｂが形成される。
次いで、第１の用紙２の左側面部２ａ（領域Ａ１）の接着剤塗布予定領域Ａｒ３、Ａｒ５、右側面部２ｃ（領域Ａ３）の接着剤塗布予定領域Ａｒ４に容易に剥離可能で再接着しない接着剤が塗布されて擬似接着層９（９ａ、９ｂ、９ｃ）が形成される。
その後、縦折り予定線Ａｔ１に沿って、左側面部２ａ（領域Ａ１）が貼り合せ部分４の第２の用紙３（領域Ａ４）の表面３ａに折り重ねられて擬似接着層９（９ａ、９ｃ）で疑似接着され、縦折り予定線Ａｔ２に沿って、右側面部２ｃ（領域Ａ３）が中央面部２ｂ（領域Ａ２）に折り重ねられて擬似接着層９（９ｂ）で擬似接着された後、貼り合せ部分４の第１の用紙２と第２の用紙３が打ち抜き予定線Ａｕ１に沿って打ち抜かれ、打ち抜き枠５ａと切り込み５ｂが形成される。
最後に、折り重ねられて擬似接着された第１の用紙２は、これに貼り合わされた第２の用紙３と共に、切断予定線Ａｙ１、Ａｙ２で切断されて、カード紙片付印刷物１となる。
このようにして、用紙Ａからカード紙片付印刷物１が連続的に製造される。
【実施例２】
【００６９】
［カード紙片付印刷物の構成］
図９は、本発明の第２実施形態である実施例２のカード紙片付印刷物の平面図、図１０は、実施例２のカード紙片付印刷物を正面から見た状態を模式的に表した説明図、図１１は、実施例２のカード紙片付印刷物の底面図、図１２は、図１１のＸ２−Ｘ２断面図、図１３は、図１１のＸ３−Ｘ３断面図である。
図中、２１はカード紙片付印刷物、２２は第１の用紙、２２ａは左側面部、２２ｂは中央面部、２２ｃは右側面部、２３は第２の用紙、２３ａは第２の用紙の表面、２３ｂは第２の用紙の裏面、２４は第１の用紙２２に第２の用紙２３を貼り合せた第１の貼り合せ部分、２５はカード紙片、２５ａは打ち抜き枠、２５ｂは切り込み、２６は第３の用紙、２６ａは第３の用紙の表面、２６ｂは第３の用紙の裏面、２７は第１の用紙２２に第３の用紙２６を貼り合せた第２の貼り合せ部分、２８はシール紙片、２８ａは打ち抜き枠、２８ｂは切り込み、２９（２９ａ、２９ｂ、２９ｃ）は擬似接着剤層、３０（３０ａ、３０ｂ）は第１の接着剤層、３１は第２の接着剤層である。
【００７０】
図９〜図１３に示すように、カード紙片付印刷物２１は、左側面部２２ａ、中央面部２２ｂ、右側面部２２ｃからなる第１の用紙２２と、第１の用紙２２の中央面部２２ｂの左半分に、第２の用紙２３の裏面２３ｂが第１の接着剤層３０ａを介して貼り付けられて形成された第１の貼り合せ部分２４と、第３の用紙２６の裏面２６ｂが第１の接着剤層３０ｂを介して貼り付けられて形成された第２の貼り合せ部分２７とから構成される。
第１の貼り合せ部分２４においては、第１の用紙２２と第２の用紙２３の両方が打抜かれて形成された打ち抜き枠２５ａと切り込み２５ｂによりカード紙片２５が形成され、第２の貼り合せ部分２７においては、第３の用紙２６のみが打抜かれて形成された打ち抜き枠２８ａと切り込み２８ｂによりシール紙片２８が形成されている。
そして、左側面部２２ａと右側面部２２ｃが中央面部２２ｂ側に折り重ねられ、左側面部２２ａが擬似接着層２９（２９ａ、２９ｃ）を介して第２の用紙の表面２３ａに擬似接着され、右側面部２２ｃが擬似接着層２９（２９ｂ）を介して第３の用紙の表面２６ａと中央面部２２ｂに擬似接着されている。これにより、右側面部２２ｃがシール紙片２８を覆い、シール紙片２８が剥がされるのを防止でき、シール紙片２８がカード紙片付印刷物２１の表面に露出して印刷物としての見栄えが損なわれるのが防止できる。
このように実施例２のカード紙片付印刷物２１においては、実施例１のカード紙片付印刷物１と異なり、カード紙片２５が形成された第１の貼り合せ部分２４とは別の第２の貼り合せ部分２７にシール紙片２８が形成されている。
よって、カード紙片を形成する貼り合せ部分にさらにシール紙片を形成するスペースがない場合、あるいは、カード紙片を形成する貼り合せ部分にシール紙片を設けるのは印刷デザイン上好ましくない場合等に、実施例２のカード紙片付印刷物２１は有効である。
なお、実施例２では、第２の用紙２３の横幅は、中央面部２２ｂの幅の略半分となっており、第３の用紙２６の横幅は、第２の用紙２３の横幅より狭くなっているが、第２の用紙２３と第３の用紙２６の横幅は、これに限定されるものではなく、第１の用紙２２の幅より狭ければよい。
【００７１】
［擬似接着層２９］
擬似接着層２９は、実施例１の擬似接着層９と同じで、容易に剥離可能で通常の状態では再接着しない接着剤からなる接着層である。そして、左側面部２２ａと第２の用紙２３の表面２３ａを擬似接着する擬似接着層２９は、左側面部２２ａの上縁、左縁、下縁の近傍に設けられた擬似接着層２９ａと、カード紙片２５の上縁、下縁近傍と中央部に重なる左側面部２２ａの部分に設けられた擬似接着層２９ｃとからなる（図１２参照）。
また、右側面部２２ｃと、第３の用紙の表面２６ａ及び中央面部２２ｂを擬似接着する擬似接着層２９（２９ｂ）は、右側面部２２ｃの上縁、右縁、下縁の近傍に設けられ、右側面部２２ｃのシール紙片２８に重なる部分には擬似接着層２９は設けられていない（図１３参照）。
【００７２】
［第１の接着層３０、第２の接着層３１］
第１の接着層３０は、実施例１の第１の接着層１０と同じで、非剥離性の接着剤からなる接着層であり、第２の接着層３１は、実施例１の第２の接着層１１と同じで、剥離性があり再接着可能な接着剤（粘着剤）からなる接着層である。
そして、第２用紙２３の裏面２３ａは、そのほぼ全面が第１の接着層３０ａを介して第１の用紙２２と貼り合わされている（図１２参照）。また、第３用紙２６の裏面２６ａは、シール紙片２８の部分を除いてそのほぼ全面が、第１の接着層３０ｂを介して第１の用紙２２と貼り合わされ、第３の用紙２６のシール紙片２８となる部分の裏面は、第２の接着層３１を介して第１の用紙２２と貼り合わされている（図１３参照）。
なお、第１の用紙２２において、第２の接着層３１が形成されている部分には、剥離性のインキ又は樹脂を塗布してその上に第２の接着層３１が形成されるようにし、シール紙片２８を第１の用紙２２から剥がしたときに、第２の接着層３１の全部がシール紙片２８の裏面に付着するようにしておくのが望ましい。
【００７３】
［シール紙片と第１・第３の用紙の重なり関係］
実施例２のカード紙片付印刷物２１においては、第３の用紙２６を打抜いてシール紙片２８を形成し、第１の用紙２２の右側面部２２ｃを第３の用紙の表面２６ａの側に折り重ねて擬似接着させてシール紙片２８を覆っているが、第１の用紙２２を打抜いてシール紙片２８を形成し、第１の用紙２２の右側面部２２ｃを中央面部２２ｂの側に折り重ねて擬似接着させてシール紙片２８を覆ってもよい。
この場合、擬似接着層２９（２９ａ、２９ｃ）は、第１の用紙２２の右側面部２２ｃと、中央面部２ｂの第３の用紙２６が貼り合わされていない面とを擬似接着することとなる。
また、第１の用紙２２の左側面部２２ａも、右側面部２２ｃと同じ側に折り重ねて中央面部２２ｂと擬似接着させてもよい。
【００７４】
［カード紙片付印刷物２１の使用方法］
図１４は、カード紙片付印刷物２１を開いた状態の平面図、図１５は、図１４の開いた状態のカード紙片付印刷物２１を正面から見た状態を模式的に表した説明図、図１６は、カード紙片付印刷物２１からカード紙片２５とシール紙片２８を分離して、カード紙片２５にシール紙片２８を貼り付ける状態を表す説明図であり、図中、２５ｃは開口部、ｆ２１、ｆ２２は折り線である。
以下図に基づいてカード紙片付印刷物２１の使用方法について説明する。
カード紙片付印刷物２１においては、擬似接着層２９（２９ａ、２９ｂ）が容易に剥離するため、左側面部２２ａを第２の用紙２３から剥がして折り線ｆ１に沿って折り返し、右側面部２２ｃを第３の用紙２６と中央面部２２ｂから剥がして折り線ｆ２２に沿って折り返すことにより、容易にカード紙片付印刷物２１を開くことができる。
このようにしてカード紙片付印刷物２１の左側面部２２ａと右側面部２２ｃを開くと、カード紙片２５の周囲が打抜かれて切り込み２５ｂが形成されているから、カード紙片２５は、左側面部２２ａに付着（擬似接着層２９ｃにより擬似接着）した状態で、貼り合せ部分２４から分離され、貼り合せ部分２４には、第１の切り込み枠２５ａによる開口部２５ｃが形成される（図１４〜図１６参照）。
一方、シール紙片２８の裏面は第２の接着層を介して第１の用紙２２（中央面部２２ｂ）に貼り付けられ、シール紙片２８の表面は右側面部２２ｃに擬似接着されていないため、右側面部２２ｃを開いてもシール紙片２８が右側面部２２ｃに付着して第１の用紙２２（中央面部２２ｂ）から剥がされることはなく、シール紙片２８は第２の貼り合せ部２７に残存した状態となる（図１４参照）。
そして、左側面部２２ａに擬似接着層２９ｃを介して擬似接着されているカード紙片２５は、左側面部２２ａから容易に剥がすことができ、葉書、クーポン等のサービス券、チケット類、会員証等として使用することができる（図１６参照）。
また、第２の接着層３１を介して第１の用紙２に貼り付けられているシール紙片２８は、その周囲が第３の用紙２６の厚み分だけ打抜かれて切り込み２８ｂが形成されているため、第２の接着層３１が付着した状態で第１の用紙２２から剥がすことができ、接着層３１は再接着性があることから、剥がしたシール紙片２８は、カード紙片２５の所定の位置に貼り付けることができる（図１６参照）。
例えば、カード紙片２５が葉書等の場合、個人情報（差出人の住所、氏名等）を記載した部分にシール紙片２８を貼り付けることにより、シール紙片２８は、葉書等に記載した個人情報を隠蔽する隠蔽シールとなる。
【００７５】
［カード紙片付印刷物２１の製造方法］
カード紙片付印刷物２１は、実施例１のカード紙片付印刷物１と同様に、連続する１枚の用紙に、印刷、切断、打抜き、折り、接着剤塗布、貼り合せ等の加工を施すことにより、製造することができる。
図１７は、カード紙片付印刷物２１を製造するに際し、連続する１枚の用紙に施す加工の種類と位置を表した説明図である。図において、Ｂは、連続する１枚の用紙であり、２点鎖線で示すＢｘ１、Ｂｘ２は、用紙の縦方向（進行方向）の切断位置を示す切断予定線、２点鎖線で示すＢｙ１、Ｂｙ２は、用紙の横方向（進行方向と直角方向）の切断位置を示す切断予定線、１点鎖線で示すＢｕ１、Ｂｕ２は、打ち抜く位置を示す打ち抜き予定線、破線で示すＢｔ１、Ｂｔ２は、縦方向の折り位置を示す縦折り予定線、網点で示すＢｒ１〜Ｂｒ６は、接着剤を塗布する領域を示す接着剤塗布予定領域である。なお、本実施例における接着剤塗布予定領域Ｂｒ５は、横長の長方形を上下に２個、縦長の長方形を左右に３個並べたパターン状となっているが、接着剤塗布予定領域Ｂｒ５は、これに限定されるものではなく、任意の形状・パターンとすることができる。
【００７６】
ここで、切断予定線Ｂｙ１とＢｙ２の間隔ｐ２が、カード紙片付印刷物２１の縦方向の長さとなり、Ｂｙ１とＢｙ２で仕切られる領域から１枚のカード紙片付印刷物２１が製造される。
そして、Ｂｙ１とＢｙ２で仕切られる領域のうち、切断予定線Ｂｘ１と縦折り予定線Ｂｔ１で仕切られる領域Ｂ１が第１の用紙２２の左側面部２２ａとなり、縦折り予定線Ｂｔ１と縦折り予定線Ｂｔ２で仕切られる領域Ｂ２が第１の用紙２２の中央面部２２ｂとなり、縦折り予定線Ｂｔ２と用紙Ｂの右端で仕切られる領域Ｂ３が第１の用紙２２の右側面部２２ｃとなり、切断予定線Ｂｘ２と切断予定線Ｂｘ１で仕切られる領域Ｂ４が第２の用紙２３となり、用紙Ｂの左端と切断予定線Ｂｘ２で仕切られる領域Ｂ５が第３の用紙２６となり、縦折り予定線Ｂｔ１、Ｂｔ２は、折り線ｆ２１、ｆ２２となる。
【００７７】
以下、カード紙片付印刷物２１の製造方法を具体的に説明する。
まず、輪転印刷機（図示せず）の給紙部から巻取状の用紙Ｂを繰り出し、その表裏面に所定の印刷を施す。このとき、接着剤塗布予定領域Ｂｒ２に重なる用紙Ｂの部分には、剥離性のインキ又は樹脂を塗布しておく。
次いで、印刷された用紙Ｂは、加工機（図示せず）により、切断予定線Ｂｘ１、Ｂｘ２で切断され、第１の用紙２２（領域Ｂ１〜Ｂ３）、第２の用紙２３（領域Ｂ４）及び第３の用紙２６（領域Ｂ５）に分割される。
そして、第２の用紙２３（領域Ｂ４）の裏面２３ｂとなる面に対して、接着剤塗布予定領域Ｂｒ１に非剥離性の接着剤が塗布されて第１の接着層３０ａが形成される。また、第３の用紙２６（領域Ｂ５）の裏面２６ｂとなる面に対しては、接着剤塗布予定領域Ｂｒ６に非剥離性の接着剤が塗布されて第１の接着層３０ｂが形成され、接着剤塗布予定領域Ｂｒ２に剥離性があり再接着可能な接着剤（粘着剤）が塗布されて第２の接着層３１が形成される。
その後、第２の用紙２３の裏面２３ｂが第１の用紙２２の中央面部２２ｂ（領域Ｂ２）の左側半分に重ねられて接着されて第１の貼り合せ部分２４が形成され、第３の用紙２６の裏面２６ｂが第１の用紙２２の中央面部２２ｂ（領域Ｂ２）の右側の一部に重ねられて接着されて第２の貼り合せ部分２７が形成され、第３の用紙２６だけが打ち抜き予定線Ｂｕ２に沿って打ち抜かれ、打ち抜き枠２８ａと切り込み２８ｂが形成される。
次いで、第１の用紙２２の左側面部２２ａ（領域Ｂ１）の接着剤塗布予定領域Ｂｒ３、Ｂｒ５、右側面部２２ｃ（領域Ｂ３）の接着剤塗布予定領域Ｂｒ４に容易に剥離可能で再接着しない接着剤が塗布されて擬似接着層２９（２９ａ、２９ｂ２、９ｃ）が形成される。
その後、縦折り予定線Ｂｔ１に沿って、左側面部２２ａ（領域Ｂ１）が貼り合せ部分２４の第２の用紙２３（領域Ｂ４）の表面２３ａに折り重ねられて擬似接着層２９（２９ａ、２９ｃ）で擬似接着され、縦折り予定線Ｂｔ２に沿って、右側面部２２ｃ（領域Ｂ３）が貼り合せ部分２７の第３の用紙２６の表面２６ａと中央面部２２ｂ（領域Ｂ２）に折り重ねられて擬似接着層２９（２９ｂ）で擬似接着された後、貼り合せ部分２４の第１の用紙２２と第２の用紙２３が打ち抜き予定線Ｂｕ１に沿って打ち抜かれ、打ち抜き枠２５ａと切り込み２５ｂが形成される。
最後に、折り重ねられて擬似接着された第１の用紙２２は、これに貼り合わされた第２の用紙２３及び第３の用紙２６と共に、切断予定線Ｂｙ１、Ｂｙ２で切断されて、カード紙片付印刷物２１となる。
このようにして、用紙Ｂからカード紙片付印刷物２１が連続的に製造される。
【実施例３】
【００７８】
［カード紙片付印刷物の構成］
図１８は、本発明の第３実施形態である実施例３のカード紙片付印刷物の平面図、図１９は、実施例３のカード紙片付印刷物を正面から見た状態を模式的に表した説明図、図２０は、実施例３のカード紙片付印刷物の底面図、図２１は、図１８のＸ４−Ｘ４断面図である。
図中、４１はカード紙片付印刷物、４２は第１の用紙、４２ａは左側面部、４２ｂは中央面部、４２ｃは右側面部、４３は第２の用紙、４３ａは第２の用紙の表面、４３ｂは第２の用紙の裏面、４４は第１の用紙４２に第２の用紙４３を貼り合せた貼り合せ部分、４５はカード紙片、４５ａは打ち抜き枠、４５ｂは切り込み、４８はシール紙片、４８ａは打ち抜き枠、４８ｂは切り込み、４９（４９ａ、４９ｂ、４９ｃ）は擬似接着剤層、５０は第１の接着剤層、５１は第２の接着剤層である。
【００７９】
図１８〜図２１に示すように、カード紙片付印刷物４１は、左側面部４２ａ、中央面部４２ｂ、右側面部４２ｃからなる第１の用紙４２と、第１の用紙４２の左側面部４２ａに、第２の用紙４３の裏面４３ｂが第１の接着剤層５０と第２の接着剤層５１を介して貼り付けられ、これにより形成された貼り合せ部分４４とから構成される。この貼り合せ部分４４においては、第１の用紙４２と第２の用紙４３の両方が打抜かれて形成された打ち抜き枠４５ａと切り込み４５ｂによりカード紙片５５が形成され、第２の用紙４３のみが打抜かれて形成された打ち抜き枠４８ａと切り込み４８ｂによりシール紙片４８が形成されている。
そして、左側面部４２ａ（貼り合せ部分４４）と右側面部４２ｃが中央面部４２ｂ側に折り重ねられ、第２の用紙の表面４３ａが擬似接着層４９（４９ａ、４９ｃ）を介して中央面部４２ｂに擬似接着され、右側面部４２ｃが擬似接着層４９（４９ｂ）を介して中央面部４２ｂに擬似接着されている。これにより、中央面部４２ｂが、カード紙片４５とシール紙片４８を覆い、シール紙片４８が剥がされるのを防止でき、シール紙片４８がカード紙片付印刷物４１の表面に露出して印刷物としての見栄えが損なわれるのが防止できる。
このように実施例３のカード紙片付印刷物４１においては、実施例１のカード紙片付印刷物１と異なり、第２の用紙４３が中央面部４２ｂではなく左側面部４２ａに貼り合わされて貼り合せ部分４４が形成されている。
なお、実施例３では、第２の用紙４３の横幅は、左側面部４２ａの幅と同じになっているが、第２の用紙４３の横幅は、これに限定されるものではなく、第１の用紙４２の幅より狭ければよい。
また、実施例３のカード紙片付印刷物４１においては、第１の用紙４２と第２の用紙４３を貼り合せた貼り合せ部分４４にカード紙片４５とシール紙片４８を設けたが、実施例２のカード紙片付印刷物２１と同様に、第１の用紙と第３の用紙を貼り合せた貼り合せ部分を設け、この貼り合せ部分にシール紙片４８を形成してもよい。
【００８０】
［擬似接着層４９］
擬似接着層４９は、第１実施例の擬似接着層９と同じように、容易に剥離可能で通常の状態では再接着しない接着剤からなる接着層である。そして、中央面部４２ｂと第２の用紙４３の表面４３ａを擬似接着する擬似接着層４９は、貼り合せ部分４４の上縁、左縁、下縁の近傍に設けられた擬似接着層４９ａと、カード紙片４５の上縁、下縁近傍と中央部に重なる貼り合せ部分４４の部分に設けられた擬似接着層４９ｃとからなり、シール紙片４８の表面には擬似接着層４９は設けられていない（図２１参照）。
また、右側面部４２ｃと中央面部４２ｂを擬似接着する擬似接着層４９（４９ｂ）は、右側面部４２ｃの上縁、右縁、下縁の近傍に設けられている。
【００８１】
［第１の接着層５０、第２の接着層５１］
第１の接着層５０は、第１実施例の接着層１０と同じように、非剥離性の接着剤からなる接着層であり、第２の接着層５１は、第１実施例の接着層１０と同じように、剥離性があり再接着可能な接着剤（粘着剤）からなる接着層である。
そして、第２の用紙４３の裏面４３ｂは、シール紙片４８の部分を除いてそのほぼ全面が、第１の接着層５０を介して第１の用紙４２と貼り合わされている。また、第２の用紙のシール紙片４８となる部分の裏面は、第２の接着層５１を介して第１の用紙４２と貼り合わされている（図２１参照）。
なお、第１の用紙４２において、第２の接着層５１が形成されている部分には、剥離性のインキ又は樹脂を塗布してその上に第２の接着層４１が形成されるようにし、シール紙片４８を第１の用紙４２から剥がしたときに、第２の接着層５１の全部がシール紙片４８の裏面に付着するようにしておくのが望ましい。
【００８２】
［シール紙片と第１・第２の用紙の重なり関係］
実施例３のカード紙片付印刷物４１においては、第２の用紙４３を打抜いてシール紙片４８を形成し、貼り合せ部分４４の第２の用紙４３の側を第１の用紙の中央面部４２ｂに折り重ねて擬似接着させてシール紙片４８を覆っているが、第１の用紙４２を打抜いてシール紙片４８を形成し、貼り合せ部分４４の第１の用紙４２の左側面部４２ａの側を中央面部４２ｂに折り重ねて擬似接着させてシール紙片４８を覆ってもよい。
この場合、擬似接着層４９（４９ａ、４９ｃ）は、第１の用紙４２の左側面部４２ａと中央面部４２ｂとを擬似接着することとなる。
また、第１の用紙４２の右側面部４２ｃも左側面部４２ａと同じ側に折り重ねて中央面部４２ｂと擬似接着させてもよい。
【００８３】
［カード紙片付印刷物４１の使用方法］
図２２は、カード紙片付印刷物４１を開いた状態の平面図、図２３は、図２２の開いた状態のカード紙片付印刷物４１を正面から見た状態を模式的に表した説明図、図２４は、カード紙片付印刷物４１からカード紙片４５とシール紙片４８を分離して、カード紙片４５にシール紙片４８を貼り付ける状態を表す説明図であり、図中、４５ｃは開口部、ｆ４１、ｆ４２は折り線である。
以下図に基づいてカード紙片付印刷物４１の使用方法について説明する。
カード紙片付印刷物４１においては、擬似接着層４９（４９ａ、４９ｂ）が容易に剥離するため、貼り合せ部分４４（左側面部４２ａ）を中央面部４２ｂから剥がして折り線ｆ４１に沿って折り返し、右側面部４２ｃを中央面部４２ｂから剥がして折り線ｆ４２に沿って折り返すことにより、容易にカード紙片付印刷物４１を開くことができる。
このようにしてカード紙片付印刷物４１の貼り合せ部分４４（左側面部４２ａ）と右側面部４２ｃを開くと、カード紙片４５の周囲が打抜かれて切り込み４５ｂが形成されているから、カード紙片４５は、中央面部４２ｂに付着（擬似接着層９ｃにより擬似接着）した状態で、貼り合せ部分４４から分離され、貼り合せ部分４４には、切り込み枠４５ａによる開口部４５ｃが形成される（図２２〜図２４参照）。
一方、シール紙片４８の裏面は第２の接着層５１を介して第１の用紙４２（左側面部４２ａ）に貼り付けられ、シール紙片４８の表面は中央面部４２ｂに擬似接着されていないため、貼り合せ部分４４（左側面部４２ａ）を開いてもシール紙片４８が中央面部４２ｂに付着して第１の用紙４２（左側面部４２ａ）から剥がされることはなく、シール紙片４８は貼り合せ部４４に残存した状態となる（図２２参照）。
そして、中央面部４２ｂに擬似接着層４９ｃを介して擬似接着されているカード紙片４５は、中央面部４２ｂから容易に剥がすことができ、葉書、クーポン等のサービス券、チケット類、会員証等として使用することができる（図２４参照）。
また、第２の接着層５１を介して第１の用紙４２に貼り付けられているシール紙片４８は、その周囲が第２の用紙４３の厚み分だけ打抜かれて切り込み４８ｂが形成されているため、第２の接着層５１が付着した状態で第１の用紙４２から剥がすことができ、接着層５１は再接着性があることから、剥がしたシール紙片４８は、カード紙片４５の所定の位置に貼り付けることができる（図２４参照）。
例えば、カード紙片４５が葉書等の場合、個人情報（差出人の住所、氏名等）を記載した部分にシール紙片４８を貼り付けることにより、シール紙片４８は、葉書等に記載した個人情報を隠蔽する隠蔽シールとなる。
【００８４】
［カード紙片付印刷物４１の製造方法］
カード紙片付印刷物４１は、実施例１のカード紙片付印刷物１と比べて、第２の用紙４３を貼り合せた貼り合せ部分４４が、第１の用紙４２の中央面部４２ｂではなく左側面部４２ａである点で異なるだけである。
よって、図８の連続用紙Ａにおいて、第２の用紙３（４３）（領域Ａ４）を貼り合せる部分を中央面部２ｂ（４２ｂ）（領域Ａ２）ではなく、左側面部２ａ（４２ａ）（領域Ａ１）とし、左側面部２ａ（４２ａ）（領域Ａ１）にある接着剤塗布予定領域Ａｒ５を、第２の用紙３（４３）（領域Ａ４）の表面とすることで、カード紙片付印刷物４１は、カード紙片付印刷物１と同様の方法で製造することができる。
【実施例４】
【００８５】
［カード紙片付印刷物の構成］
図２５は、本発明の第４実施形態である実施例４のカード紙片付印刷物の平面図、図２６は、実施例４のカード紙片付印刷物を正面から見た状態を模式的に表した説明図、図２７は、実施例４のカード紙片付印刷物の底面図、図２８は、図２７のＸ５−Ｘ５断面図である。
図中、６１はカード紙片付印刷物、６２は第１の用紙、６３は第２の用紙、６３ａは第２の用紙の表面、６３ｂは第２の用紙の裏面、６４は第１の用紙６２に第２の用紙６３を貼り合せた貼り合せ部分、６５はカード紙片、６５ａは打ち抜き枠、６５ｂは切り込み、６６は第４の用紙、６７はミシン目、６８はシール紙片、６８ａは打ち抜き枠、６８ｂは切り込み、６９（６９ａ、６９ｂ６）は擬似接着剤層、７０（７０ａ、７０ｂ）は第１の接着剤層、７１は第２の接着剤層である。
【００８６】
図２５〜図２８に示すように、カード紙片付印刷物６１は、第１の用紙６２と、第４の用紙６６と、第１の用紙６２の左半分に、第２の用紙６３の裏面６３ｂが第１の接着剤層７０ａと第２の接着剤層７１を介して貼り付けられ、これにより形成された貼り合せ部分６４とから構成される。この貼り合せ部分６４においては、第１の用紙６２と第２の用紙６３の両方が打抜かれて形成された打ち抜き枠６５ａと切り込み６５ｂによりカード紙片６５が形成され、第２の用紙６３のみが打抜かれて形成された打ち抜き枠６８ａと切り込み６８ｂによりシール紙片６８が形成されている。
そして、第４の用紙６６が、貼り合せ部分６４と第１の用紙６２（貼り合せ部分６４以外の部分）に重ねられて擬似接着層６９（６９ａ、６９ｂ）を介して擬似接着され、さらに、第２の用紙の表面６３ａと第１の用紙６２（貼り合せ部分６４以外の部分）の上縁部近傍が、第１の接着剤層７０ｂを介して第４の用紙６６に接着されている。これにより、第４の用紙６６が、カード紙片６５とシール紙片６８を覆い、シール紙片６８が剥がされるのを防止でき、シール紙片６８がカード紙片付印刷物６１の表面に露出して印刷物としての見栄えが損なわれるのが防止できる。
また、カード紙片付印刷物６１の上縁近傍には、第１の接着剤層７０ｂの下縁に沿って、第１の用紙６２、第２の用紙６３及び第４の用紙６６を貫通するミシン目６７が設けられ、貼り合せ部分６４と第４の用紙６６を擬似接着層６９から剥がした場合に、貼り合せ部分６４または第４の用紙６６をミシン目６７に沿って折り返せるようになっている。
なお、実施例４では、第２の用紙６３の横幅は、第１の用紙６２の幅と略半分になっているが、第２の用紙６３の横幅は、これに限定されるものではなく、第１の用紙６２の幅より狭ければよい。
また、実施例４のカード紙片付印刷物６１においては、第１の用紙６２と第２の用紙６３を貼り合せた貼り合せ部分６４にカード紙片６５とシール紙片６８を設けたが、実施例２のカード紙片付印刷物２１と同様に、第１の用紙と第３の用紙を貼り合せた貼り合せ部分を設け、この貼り合せ部分にシール紙片６８を形成してもよい。
【００８７】
［擬似接着層６９］
擬似接着層６９は、第１実施例の擬似接着層９と同じように、容易に剥離可能で通常の状態では再接着しない接着剤からなる接着層である。そして、第４の用紙６６と、第２の用紙６３の表面６３ａ及び第１の用紙６２（貼り合せ部分６４以外の部分）を擬似接着する擬似接着層６９は、第２の用紙６３の表面６３ａ及び第１の用紙６２（貼り合せ部分６４以外の部分）の上縁、左縁、下縁の近傍に設けられた擬似接着層６９ａと、カード紙片６５となる部分の上縁、下縁近傍と中央部に設けられた擬似接着層６９ｂとからなり、シール紙片６８の表面には擬似接着層６９は設けられていない（図２８参照）。
【００８８】
［第１の接着層７０、第２の接着層７１］
第１の接着層７０は、第１実施例の接着層１０と同じように、非剥離性の接着剤からなる接着層であり、第２の接着層７１は、第１実施例の接着層１０と同じように、剥離性があり再接着可能な接着剤（粘着剤）からなる接着層である。
そして、第２用紙６３の裏面６３ｂは、シール紙片６８の部分を除いてそのほぼ全面が、第１の接着層７０ａを介して第１の用紙６２と貼り合わされ、さらに、第２の用紙の表面６３ａと第１の用紙６２（貼り合せ部分６４以外の部分）の上縁部近傍が、第１の接着剤層７０ｂを介して第４の用紙６６に接着されている。また、第２の用紙６３のシール紙片６８となる部分の裏面は、第２の接着層７１を介して第１の用紙６２と貼り合わされている（図２８参照）。
なお、第１の用紙６２において、第２の接着層７１が形成されている部分には、剥離性のインキ又は樹脂を塗布してその上に第２の接着層７１が形成されるようにし、シール紙片６８を第１の用紙６２から剥がしたときに、第２の接着層７１の全部がシール紙片６８の裏面に付着するようにしておくのが望ましい。
【００８９】
［シール紙片と第１・第２・第４の用紙の重なり関係］
実施例４のカード紙片付印刷物６１においては、第２の用紙６３を打抜いてシール紙片６８を形成し、第４の用紙を貼り合せ部分６４の第２の用紙６３の側に重ねて擬似接着させてシール紙片６８を覆っているが、第１の用紙６２を打抜いてシール紙片６８を形成し、第４の用紙を貼り合せ部分６４の第１の用紙６２の側に重ねて擬似接着させてシール紙片６８を覆ってもよい。
この場合、擬似接着層６９（６９ａ、６９ｂ）と第１の接着層７０（７０ｂ）は、第１の用紙６２と第４の用紙６６とを擬似接着乃至接着することとなる。
【００９０】
［カード紙片付印刷物６１の使用方法］
図２９は、カード紙片付印刷物６１を開いた状態の平面図、図３０は、カード紙片付印刷物６１からカード紙片６５とシール紙片６８を分離して、カード紙片６５にシール紙片６８を貼り付ける状態を表す説明図であり、図中、６５ｃは開口部である。
以下図に基づいてカード紙片付印刷物６１の使用方法について説明する。
カード紙片付印刷物６１においては、擬似接着層６９（６９ａ、６９ｂ）が容易に剥離するため、貼り合せ部分６４と第１の用紙６２を第４の用紙６６から剥がしてミシン目６７に沿って折り返すことにより、容易にカード紙片付印刷物４１を開くことができる。
このようにしてカード紙片付印刷物６１を開くと、カード紙片６５の周囲が打抜かれて切り込み６５ｂが形成されているから、カード紙片６５は、第４の用紙６６に付着（擬似接着層６９ｂにより擬似接着）した状態で、貼り合せ部分６４から分離され、貼り合せ部分６４には、切り込み枠６５ａによる開口部６５ｃが形成される（図２９、図３０参照）。
一方、シール紙片６８の裏面は第２の接着層７１を介して第１の用紙６２に貼り付けられ、シール紙片６８の表面は第４の用紙６６に擬似接着されていないため、貼り合せ部分６４を開いてもシール紙片６８が第４の用紙６６に付着して第１の用紙６２から剥がされることはなく、シール紙片６８は貼り合せ部６４に残存した状態となる（図２９参照）。
そして、第４の用紙６６に擬似接着層６９ｂを介して擬似接着されているカード紙片６５は、第４の用紙６６から容易に剥がすことができ、葉書、クーポン等のサービス券、チケット類、会員証等として使用することができる（図３０参照）。
また、第２の接着層７１を介して第１の用紙６２に貼り付けられているシール紙片６８は、その周囲が第２の用紙６３の厚み分だけ打抜かれて切り込み６８ｂが形成されているため、第２の接着層６１が付着した状態で第１の用紙６２から剥がすことができ、接着層６１は再接着性があることから、剥がしたシール紙片６８は、カード紙片６５の所定の位置に貼り付けることができる（図３０参照）。
例えば、カード紙片６５が葉書等の場合、個人情報（差出人の住所、氏名等）を記載した部分にシール紙片６８を貼り付けることにより、シール紙片６８は、葉書等に記載した個人情報を隠蔽する隠蔽シールとなる。
【００９１】
［カード紙片付印刷物６１の製造方法］
カード紙片付印刷物６１は、実施例１のカード紙片付印刷物１と同様に、連続する１枚の用紙に、印刷、切断、打抜き、折り、接着剤塗布、貼り合せ等の加工を施すことにより、製造することができる。
図３１、図３２は、カード紙片付印刷物６１を製造するに際し、連続する１枚の用紙に施す加工の種類と位置を表した説明図であり、図３１は第１工程の説明図、図３２は第２工程の説明図である。図において、Ｃは、連続する１枚の用紙であり、２点鎖線で示すＣｘ１、Ｃｘ２は、用紙の縦方向（進行方向）の切断位置を示す切断予定線、２点鎖線で示すＣｙ１、Ｃｙ２は、用紙の横方向（進行方向と直角方向）の切断位置を示す切断予定線、１点鎖線で示すＣｕ１、Ｃｕ２は、打ち抜く位置を示す打ち抜き予定線、破線で示すＣｍ１は、ミシン目加工の位置を示すミシン目予定線、網点で示すＣｒ１〜Ｃｒ５は、接着剤を塗布する領域を示す接着剤塗布予定領域である。なお、本実施例における接着剤塗布予定領域Ｃｒ５は、横長の長方形を上下に２個、縦長の長方形を左右に３個並べたパターン状となっているが、接着剤塗布予定領域Ｃｒ５は、これに限定されるものではなく、任意の形状・パターンとすることができる。
【００９２】
ここで、切断予定線Ｃｙ１とＣｙ２の間隔ｐ３が、カード紙片付印刷物６１の縦方向の長さとなり、Ｃｙ１とＣｙ２で仕切られる領域から１枚のカード紙片付印刷物６１が製造される。
そして、Ｃｙ１とＣｙ２で仕切られる領域のうち、切断予定線Ｃｘ１とＣｘ２で仕切られる領域Ｃ１が第１の用紙６２となり、用紙Ｃの右端と切断予定線Ｃｘ１で仕切られる領域Ｃ３が第２の用紙６３となり、用紙Ｃの左端と切断予定線Ｃｘ２で仕切られる領域Ｃ４が第４の用紙６６となり、ミシン目予定線Ｃｍ１は、ミシン目６７となる。
以下、カード紙片付印刷物６１の製造方法を第１工程と第２工程に分けて具体的に説明する。
【００９３】
［第１工程］
まず、輪転印刷機（図示せず）の給紙部から巻取状の用紙Ｃを繰り出し、その表裏面に所定の印刷を施す。このとき、接着剤塗布予定領域Ｃｒ２には、剥離性のインキ又は樹脂を塗布しておく。
次いで、印刷された用紙Ｃは、加工機（図示せず）により、切断予定線Ｃｘ１で切断され、第１の用紙６２（領域Ｃ１）及び第４の用紙６６（領域Ｃ４）と、第２の用紙６３（領域Ｃ３）に分割される。
そして、第１の用紙６２の貼り合せ部分６４となる領域（領域Ｃ２）に対して、接着剤塗布予定領域Ｃｒ１に非剥離性の接着剤が塗布されて第１の接着層７０（７０ａ）が形成され、接着剤塗布予定領域Ｃｒ２に剥離性があり再接着可能な接着剤（粘着剤）が塗布されて第２の接着層７１が形成される。
その後、第２の用紙６３の裏面６３ｂが第１の用紙６２の右側半分（領域Ｃ２）に重ねられて接着されて貼り合せ部分６４が形成され、第２の用紙６３だけが打ち抜き予定線Ｃｕ２に沿って打ち抜かれ、打ち抜き枠６８Ｃと切り込み６８ｂが形成され、図３２に示すような状態となる。
【００９４】
［第２工程］
まず、図３２に示す用紙Ｃは、加工機（図示せず）により、切断予定線Ｃｘ２で切断され、貼り合せ部分６４を含む第１の用紙６２（領域Ｃ１）と第４の用紙６６（領域Ｃ４）に分割される。
次いで、貼り合せ部分６４を含む第１の用紙６２（領域Ｃ１）において、接着剤塗布予定領域Ｃｒ３に非剥離性の接着剤が塗布されて第１の接着層７０（７０ｂ）が形成され、接着剤塗布予定領域Ｃｒ４、Ｃｒ５に容易に剥離可能で再接着しない接着剤が塗布されて擬似接着層６９（６９ａ、６９ｂ）が形成される。
その後、第４の用紙６６（領域Ｃ４）が、貼り合せ部分６４の第２の用紙６３（領域Ｃ２）の表面６３ａと第１の用紙６２に重ねられ、第１の接着層７０（７０ｂ）と擬似接着層６９（６９ａ、６９ｂ）で接着または疑似接着された後、貼り合せ部分６４の第１の用紙６２と第２の用紙６３が打ち抜き予定線Ｃｕ１に沿って打ち抜かれ、打ち抜き枠６５ａと切り込み６５ｂが形成される。
さらに、ミシン目予定線Ｃｍ１に沿って、第１の用紙６２、第２の用紙６３及び第４の用紙６６を貫通するミシン目加工が施され、ミシン目６７が形成される。
最後に、貼り合わされてミシン目加工された第１の用紙６２、第２の用紙６３及び第４の用紙６６は、切断予定線Ｃｙ１、Ｃｙ２で切断されて、カード紙片付印刷物６１となる。
このようにして、用紙Ｃからカード紙片付印刷物６１が連続的に製造される。
【産業上の利用可能性】
【００９５】
本発明のカード紙片付印刷物は、カード紙片が容易に分離できると共に、シール紙片がカード紙片付印刷物の表面に露出せず、使用前にシール紙片が剥がれることが防止され、カード紙片付印刷物の見栄えも損なわれないものである。
【符号の説明】
【００９６】
１  カード紙片付印刷物
２  第１の用紙
２ａ  左側面部
２ｂ  中央面部
２ｃ  右側面部
３  第２の用紙
３ａ  第２の用紙の表面
３ｂ  第２の用紙の裏面
４  貼り合せ部分
５  カード紙片
５ａ  打ち抜き枠
５ｂ  切り込み
５ｃ  開口部
８  シール紙片
８ａ  打ち抜き枠
８ｂ  切り込み
９  擬似接着剤層
９ａ、９ｂ、９ｃ  擬似接着剤層
１０  第１の接着剤層
１１  第２の接着剤層
２１  カード紙片付印刷物
２２  第１の用紙
２２ａ  左側面部
２２ｂ  中央面部
２２ｃ  右側面部
２３  第２の用紙
２３ａ  第２の用紙の表面
２３ｂ  第２の用紙の裏面
２４  第１の貼り合せ部分
２５  カード紙片
２５ａ  打ち抜き枠
２５ｂ  切り込み
２５ｃ  開口部
２６  第３の用紙
２６ａ  第３の用紙の表面
２６ｂ  第３の用紙の裏面
２７  第２の貼り合せ部分
２８  シール紙片
２８ａ  打ち抜き枠
２８ｂ  切り込み
２９  擬似接着剤層
２９ａ、２９ｂ、２９ｃ  擬似接着剤層
３０  第１の接着剤層
３０ａ、３０ｂ  第１の接着剤層
３１  第２の接着剤層
４１  カード紙片付印刷物
４２  第１の用紙
４２ａ  左側面部
４２ｂ  中央面部
４２ｃ  右側面部
４３  第２の用紙
４３ａ  第２の用紙の表面
４３ｂ  第２の用紙の裏面
４４  貼り合せ部分
４５  カード紙片
４５ａ  打ち抜き枠
４５ｂ  切り込み
４５ｃ  開口部
４８  シール紙片
４８ａ  打ち抜き枠
４８ｂ  切り込み
４９  擬似接着剤層
４９ａ、４９ｂ、４９ｃ  擬似接着剤層
５０  第１の接着剤層
５１  第２の接着剤層
６１  カード紙片付印刷物
６２  第１の用紙
６３  第２の用紙
６３ａ  第２の用紙の表面
６３ｂ  第２の用紙の裏面
６４  貼り合せ部分
６５  カード紙片
６５ａ  打ち抜き枠
６５ｂ  切り込み
６５ｃ  開口部
６６  第４の用紙
６７  ミシン目
６８  シール紙片
６８ａ  打ち抜き枠
６８ｂ  切り込み
６９  擬似接着剤層
６９ａ、６９ｂ  擬似接着剤層
７０  第１の接着剤層
７０ａ、７０ｂ  第１の接着剤層
７１  第２の接着剤層
ｆ１、ｆ２  折り線
ｆ２１、ｆ２２  折り線
ｆ４１、ｆ４２  折り線
Ａ  用紙
Ａ１〜Ａ４  領域
Ａｘ１  切断予定線
Ａｙ１、Ａｙ２  切断予定線
Ａｕ１、Ａｕ２  打ち抜き予定線
Ａｔ１、Ａｔ２  縦折り予定線
Ａｒ１〜Ａｒ５  接着剤塗布予定領域
Ｂ  用紙
Ｂ１〜Ｂ５  領域
Ｂｘ１、Ｂｘ２  切断予定線
Ｂｙ１、Ｂｙ２  切断予定線
Ｂｕ１、Ｂｕ２  打ち抜き予定線
Ｂｔ１、Ｂｔ２  縦折り予定線
Ｂｒ１〜Ｂｒ６  接着剤塗布予定領域
Ｃ  用紙
Ｃ１〜Ｃ４  領域
Ｃｘ１、Ｃｘ２  切断予定線
Ｃｙ１、Ｃｙ２  切断予定線
Ｃｕ１、Ｃｕ２  打ち抜き予定線
Ｃｍ１  ミシン目予定線
Ｃｒ１〜Ｃｒ５  接着剤塗布予定領域
【図１】
2017007287.tif 000003
【図２】
2017007287.tif 000004
【図３】
2017007287.tif 000005
【図４】
2017007287.tif 000006
【図５】
2017007287.tif 000007
【図６】
2017007287.tif 000008
【図７】
2017007287.tif 000009
【図８】
2017007287.tif 000010
【図９】
2017007287.tif 000011
【図１０】
2017007287.tif 000012
【図１１】
2017007287.tif 000013
【図１２】
2017007287.tif 000014
【図１３】
2017007287.tif 000015
【図１４】
2017007287.tif 000016
【図１５】
2017007287.tif 000017
【図１６】
2017007287.tif 000018
【図１７】
2017007287.tif 000019
【図１８】
2017007287.tif 000020
【図１９】
2017007287.tif 000021
【図２０】
2017007287.tif 000022
【図２１】
2017007287.tif 000023
【図２２】
2017007287.tif 000024
【図２３】
2017007287.tif 000025
【図２４】
2017007287.tif 000026
【図２５】
2017007287.tif 000027
【図２６】
2017007287.tif 000028
【図２７】
2017007287.tif 000029
【図２８】
2017007287.tif 000030
【図２９】
2017007287.tif 000031
【図３０】
2017007287.tif 000032
【図３１】
2017007287.tif 000033
【図３２】
2017007287.tif 000034